(57)【要約】【課題】本発明は、良好な防水効果が得られる電気コネクタを提供することを目的とする。【解決手段】本発明の電気コネクタは、絶縁性本体と、前記絶縁性本体に収納され、前記絶縁性本体の後端から延出する複数の導電端子と、前記絶縁性本体を被覆するハウジングと、前記絶縁性本体の後端に取り付けられ、前記絶縁性本体と前記ハウジングとの間を密封するカバーと、を備える。【選択図】図２
2014063715.tif 000002
【特許請求の範囲】
【請求項１】
絶縁性本体と、
前記絶縁性本体に収納され、前記絶縁性本体の後端から延出する複数の導電端子と、
前記絶縁性本体を被覆するハウジングと、
前記絶縁性本体の後端に取り付けられ、前記絶縁性本体と前記ハウジングとの間を密封するカバーと、
を備えることを特徴とする電気コネクタ。
【請求項２】
前記絶縁性本体は、基部と、前記基部から後向きに突出する突出部と、を備え、前記突出部の外表面と前記ハウジングの後端の内表面との間には、スロットが形成され、前記カバーには、前記スロットを塞ぐ挿入部が設けられることを特徴とする請求項１に記載の電気コネクタ。
【請求項３】
前記絶縁性本体には、前記複数の導電端子を収納するための複数の端子溝が形成され、各導電端子と対応する端子溝との間には、スリットが形成され、前記カバーが、絶縁性材料によって成型され、前記端子溝に対応し、前記導電端子が延出する複数の端子孔と、前向きに伸び、前記複数のスリットを塞ぐ複数のガスケットと、を備えることを特徴とする請求項１または２に記載の電気コネクタ。
【請求項４】
前記絶縁性本体の基部には外へ突出する凸状部片が設けられ、前記突出部には係合部片が設けられ、前記カバーが前向きに突出する一対のアームと、前記一対のアームの間に形成される係合溝と、を有し、前記ハウジングには凹所が形成され、前記凸状部片と係合部片とが対応し、前記係合溝と係合し、前記一対のアームが、前記凹所と係合することを特徴とする請求項２に記載の電気コネクタ。
【請求項５】
前記絶縁性本体と前記カバーとの一方には、複数の係止溝が形成され、他方には、前記複数の係止溝と係止する複数の係止部が設けられることを特徴とする請求項１から４のいずれか一項に記載の電気コネクタ。
【発明の詳細な説明】
【技術分野】
【０００１】
本発明は、電気コネクタに関し、特に、Ｉ／Ｏ（Ｉｎｐｕｔ／Ｏｕｔｐｕｔ）電気コネクタに関するものである。
【背景技術】
【０００２】
従来技術の電気コネクタは、絶縁性本体と、前記絶縁性本体に収納される複数の導電端子と、前記絶縁性本体を被覆するハウジングと、を備える。前記絶縁性本体には、外へ露出し、前記導電端子を収納するための複数の端子溝が形成される。外へ露出する前記端子溝によって、導電端子が前記絶縁性本体から突出する。
【発明の概要】
【発明が解決しようとする課題】
【０００３】
水、或いは別の液体は、前記端子溝によって、前記電気コネクタ内に容易に入る。このような電気コネクタは、防水効果が得られない。
【０００４】
そこで本発明は、上述される従来技術の問題に鑑み、良好な防水効果が得られる電気コネクタを提供することを目的とする。
【課題を解決するための手段】
【０００５】
前記目的を達成するために、本発明の電気コネクタは、絶縁性本体と、前記絶縁性本体に収納され、前記絶縁性本体の後端から延出する複数の導電端子と、前記絶縁性本体を被覆するハウジングと、前記絶縁性本体の後端に取り付けられ、前記絶縁性本体と前記ハウジングとの間を密封するカバーと、を備える。
【発明の効果】
【０００６】
従来技術と比べると、本発明は以下の長所を有する。本発明の電気コネクタは、前記絶縁性本体と前記ハウジングとの間を密封するカバーによって、良好な防水効果が得られる。
【図面の簡単な説明】
【０００７】
【図１】本発明の電気コネクタの組立斜視図である。
【図２】図１に示す電気コネクタにおけるカバーが取り付けられない時の斜視図である。
【図３】図１に示す電気コネクタの分解斜視図である。
【図４】図３に示す電気コネクタの他の分解斜視図である。
【発明を実施するための形態】
【０００８】
図１〜図４を参照すると、本発明の電気コネクタ１００は、絶縁性本体２と、前記絶縁性本体２に収納され、前記絶縁性本体２の後端から延出する複数の導電端子３と、前記絶縁性本体２を被覆するハウジング１と、前記絶縁性本体２の後端に取り付けられ、前記絶縁性本体２と前記ハウジング１との間を密封するカバー４と、を備える。
【０００９】
前記絶縁性本体２は、基部２１と、前記基部２１から前向きに突出する舌板２２と、前記基部２１から後向きに突出する突出部２４と、を備える。前記絶縁性本体２には、前記舌板２２の上表面に形成され、前記基部２１を貫通する複数の端子溝２５が形成される。前記基部２１の一対（左右）の側面には、一対の凹溝２１２が形成される。前記基部２１の後端の上下辺の中央部にはそれぞれ、上下方向に沿って外へ突出する凸状部片２１１が設けられる。前記突出部２４の上下辺の中央部にはそれぞれ、複数の係合部片２１３０が設けられる。前記基部２１或いは突出部２４の周縁には、複数の係止溝２１４が形成される。
【００１０】
各導電端子３は、前記舌板２２に位置する端子溝２５から露出される接触部３２と、前記端子溝２５と係合するクリック部３３と、前記基部２１に位置する端子溝２５の後端から延出する半田接続部３１と、を有する。
【００１１】
カバー４は、絶縁性材料によって成型される。前記カバー４は、前記端子溝２５に対応し、前記導電端子３が延出する複数の端子孔４１を有する。前記カバー４には、カバー４の周縁部から前向きに伸びる挿入部４２と、前記端子孔４１に隣接し、前向きに伸びる複数のガスケット４５と、前記挿入部４２に隣接し、前向きに伸びる複数の係止部４３と、が設けられる。前記カバー４の上下辺の中央部にはそれぞれ、前向きに突出する一対のアーム４４と、前記一対のアーム４４の間に形成される係合溝４６と、が設けられる。
【００１２】
前記ハウジング１は、対向する上壁１１及び底壁１３と、一対の側壁１２と、を備える。前記上壁１１と底壁１３と一対の側壁１２とによって、収納孔１４が形成される。前記上壁１１及び底壁１３の後端にはそれぞれ、凹所１１１，１３１が形成される。各側壁１２には、収納孔１４に向かって突出する弾性片１２１が形成される。
【００１３】
前記電気コネクタ１００を組み立てる時、前記導電端子３が前記絶縁性本体２の端子溝２５に挿入される。前記導電端子３の接触部３２が前記端子溝２５から露出され、半田接続部３１が前記端子溝２５から延出する。前記絶縁性本体２がハウジング１の収納孔１４に収納される。前記突出部２４の外表面とハウジング１の後端の内表面との間には、スロット２０が形成される。各導電端子３と対応する端子溝２５との間には、スリット２３が形成される。前記カバー４は、前記絶縁性本体２の後端に装着される。前記挿入部４２は、前記スロット２０を塞ぐ。複数のガスケット４５は、前記複数のスリット２３を塞ぐ。前記凸状部片２１１と係合部片２１３０とは、互いに対応し、前記カバー４の係合溝４６と係合する。前記一対のアーム４４が、前記ハウジング１の凹所１１１及び１３１と係合する。前記カバー４の係止部４３は、前記複数の係止溝２１４と係合する。ハウジング１の弾性片１２１は、前記絶縁性本体２の凹溝２１２に当接する。
【００１４】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１５】
１００  電気コネクタ
１  ハウジング
１１  上壁
１１１、１３１  凹所
１２  側壁
１２１  弾性片
１３  底壁
１４  収納孔
２  絶縁性本体
２０  スロット
２１  基部
２１１  凸状部片
２１２  凹溝
２１３０  係合部片
２１４  係止溝
２２  舌板
２３  スリット
２４  突出部
２５  端子溝
３  導電端子
３１  半田接続部
３２  接触部
３３  クリック部
４  カバー
４１  端子孔
４２  挿入部
４３  係止部
４４  アーム
４５  ガスケット
４６  係合溝
【図１】
2014063715.tif 000003
【図２】
2014063715.tif 000004
【図３】
2014063715.tif 000005
【図４】
2014063715.tif 000006